【手続補正書】
【提出日】平成16年4月1日(2004.4.1)
【手続補正１】
【補正対象書類名】明細書
【補正対象項目名】発明の名称
【補正方法】変更
【補正の内容】
【発明の名称】ビデオテープレコーダ及び記録方法
【手続補正２】
【補正対象書類名】明細書
【補正対象項目名】特許請求の範囲
【補正方法】変更
【補正の内容】
【特許請求の範囲】
【請求項１】
磁気テープに順次斜めに記録トラックを形成し、データ圧縮したビデオデータ、データ圧縮したオーディオデータ、前記ビデオデータ及びオーディオデータに関連するデータを前記磁気テープに記録するビデオテープレコーダにおいて、
前記ビデオデータを所定のブロック単位でブロック化し、該ブロックのビデオデータと、対応する前記オーディオデータ及び前記関連するデータとの組み合わせによるパックユニットを生成するパックユニット生成手段と、
前記ビデオデータをデータ伸長して出力する際の時刻管理情報から、前記磁気テープから前記ビデオデータを再生する際の再生基準の管理情報を生成する管理情報生成手段と、
前記パックユニット生成手段の出力データを遅延させる遅延手段と、
前記パックユニット生成手段の出力データを前記再生基準の管理情報と共に前記磁気テープに記録する記録系と、
前記遅延手段における遅延時間を可変する制御手段とを備え、
前記制御手段は、
前記各パックユニットの先頭の記録位置が、対応する前記再生基準の管理情報による記録位置に対して一定関係の位置となるように、前記遅延手段の遅延時間を可変する
ことを特徴とするビデオテープレコーダ。
【請求項２】
前記一定関係の位置は、
前記各パックユニットの先頭について、前記時刻管理情報に対応する前記再生基準の管理情報の記録位置に対して、前記パックユニットの先頭におけるデコード時の遅延時間に一定の先行量を加算した分だけ先行する位置である
ことを特徴とする請求項１に記載のビデオテープレコーダ。
【請求項３】
前記一定の先行量が、
少なくとも、前記パックユニットにおける前記ビデオデータ以外のデータの平均的なデータ量に対応する値である
ことを特徴とする請求項２に記載のビデオテープレコーダ。
【請求項４】
前記記録系は、
少なくとも前記遅延回路による遅延時間の分、前記パックユニット生成手段の出力データにＮＵＬＬデータを介挿する
ことを特徴とする請求項１に記載のビデオテープレコーダ。
【請求項５】
前記制御手段は、
前記ＮＵＬＬデータの介挿により、対応する前記パックユニットの先頭を前記記録トラックの先頭に設定する
ことを特徴とする請求項４に記載のビデオテープレコーダ。
【請求項６】
前記制御手段は、
前記パックユニットの末尾が、対応する前記再生基準の管理情報の記録位置より先行する位置となるように設定した
ことを特徴とする請求項１に記載のビデオテープレコーダ。
【請求項７】
前記磁気テープより得られる再生信号を信号処理して前記パックユニットのデータを再生するパックユニット再生手段と、
前記パックユニット再生手段より得られる前記パックユニットのデータから前記ビデオデータを分離するデータ分離手段と、
前記データ分離手段より出力される前記ビデオデータを一時保持して出力する記憶手段と、
前記記憶手段の出力データをデータ伸長して出力するデータ伸長手段とを備え、
前記記憶手段の容量が、前記先行量に対応する容量以上である
ことを特徴とする請求項２に記載のビデオテープレコーダ。
【請求項８】
磁気テープに順次斜めに記録トラックを形成し、データ圧縮したビデオデータ、データ圧縮したオーディオデータ、前記ビデオデータ及びオーディオデータに関連するデータを前記磁気テープに記録するビデオテープレコーダにおいて、
前記ビデオデータを所定のブロック単位でブロック化し、該ブロックのビデオデータと、対応する前記オーディオデータ及び前記関連するデータとの組み合わせによるパックユニットを生成するパックユニット生成手段と、
前記ビデオデータをデータ伸長して出力する際の時刻管理情報から、前記磁気テープから前記ビデオデータを再生する際の再生基準の管理情報を生成する管理情報生成手段と、
前記パックユニットのデータを前記再生基準の管理情報と共に前記磁気テープに記録する記録系とを備え、
前記管理情報生成手段は、
前記ビデオデータをデータ伸長する際の処理基準のクロックに対して、前記再生基準の管理情報が比例関係により変化するように、前記再生基準の管理情報を生成する
ことを特徴とするビデオテープレコーダ。
【請求項９】
磁気テープに順次斜めに記録トラックを形成し、データ圧縮したビデオデータ、データ圧縮したオーディオデータ、前記ビデオデータ及びオーディオデータに関連するデータを前記磁気テープに記録する記録方法において、
前記ビデオデータを所定のブロック単位でブロック化し、該ブロックのビデオデータと、対応する前記オーディオデータ及び前記関連するデータとの組み合わせによるパックユニットを生成するステップと、
前記ビデオデータをデータ伸長して出力する際の時刻管理情報から、前記磁気テープから前記ビデオデータを再生する際の再生基準の管理情報を生成するステップと、
前記パックユニットを遅延させるステップと、
前記パックユニットを前記再生基準の管理情報と共に前記磁気テープに記録するステップと、
前記パックユニットを遅延させる遅延時間を可変するステップとを備え、
前記パックユニットを遅延させる遅延時間を可変するステップは、
前記各パックユニットの先頭の記録位置が、対応する前記再生基準の管理情報による記録位置に対して一定関係の位置となるように遅延時間を可変する
ことを特徴とする記録方法。
【請求項１０】
磁気テープに順次斜めに記録トラックを形成し、データ圧縮したビデオデータ、データ圧縮したオーディオデータ、前記ビデオデータ及びオーディオデータに関連するデータを前記磁気テープに記録する記録方法において、
前記ビデオデータを所定のブロック単位でブロック化し、該ブロックのビデオデータと、対応する前記オーディオデータ及び前記関連するデータとの組み合わせによるパックユニットを生成するステップと、
前記ビデオデータをデータ伸長して出力する際の時刻管理情報から、前記磁気テープから前記ビデオデータを再生する際の再生基準の管理情報を生成するステップと、
前記パックユニットを前記再生基準の管理情報と共に前記磁気テープに記録するステップとを備え、
前記再生基準の管理情報を生成するステップは、
前記ビデオデータをデータ伸長する際の処理基準のクロックに対して、前記再生基準の管理情報が比例関係により変化するように、前記再生基準の管理情報を生成する
ことを特徴とする記録方法。
【手続補正３】
【補正対象書類名】明細書
【補正対象項目名】０００１
【補正方法】変更
【補正の内容】
【０００１】
【発明の属する技術分野】
本発明は、ビデオテープレコーダ及び記録方法に関し、特にＨＤＴＶ（High Definition TeleVision）によるビデオ信号を磁気テープに記録するビデオテープレコーダに適用することができる。本発明は、各パックユニットの先頭の記録位置が、対応する時刻管理情報による記録位置に対して一定関係の位置となるように設定することにより、全体を効率良く構成することができるようにする。


【手続補正４】
【補正対象書類名】明細書
【補正対象項目名】０００５
【補正方法】変更
【補正の内容】
【０００５】
本発明は以上の点を考慮してなされたもので、全体を効率良く構成することができるビデオテープレコーダ及び記録方法を提案しようとするものである。


【手続補正５】
【補正対象書類名】明細書
【補正対象項目名】０００７
【補正方法】変更
【補正の内容】
【０００７】
また請求項８の発明においては、ビデオテープレコーダに適用して、ビデオデータをデータ伸長して出力する際の時刻管理情報から生成する再生基準の管理情報について、ビデオデータをデータ伸長する際の処理基準のクロックに対して、再生基準の管理情報が比例関係により変化するように、再生基準の管理情報を生成する。また請求項９の発明においては、記録方法に適用して、各パックユニットの先頭の記録位置が、対応する時刻管理情報による記録位置に対して一定関係の位置となるように、遅延手段の遅延時間を可変する。また請求項１０の発明においては、記録方法に適用して、ビデオデータをデータ伸長して出力する際の時刻管理情報から生成する再生基準の管理情報について、ビデオデータをデータ伸長する際の処理基準のクロックに対して、再生基準の管理情報が比例関係により変化するように、再生基準の管理情報を生成する。
【手続補正６】
【補正対象書類名】明細書
【補正対象項目名】０００８
【補正方法】変更
【補正の内容】
【０００８】
請求項１の構成によれば、ビデオテープレコーダに適用して、各パックユニットの先頭の記録位置が、対応する時刻管理情報による記録位置に対して一定関係の位置となるように、遅延手段の遅延時間を可変することにより、再生時のマージンを見込んで各パックユニットを磁気テープに記録することができる。これにより再生側におけるバッファメモリの必要容量を小さくすることができ、また必要に応じてバッファメモリを他の処理に流用することもでき、これらにより全体を効率良く構成することができる。


【手続補正７】
【補正対象書類名】明細書
【補正対象項目名】０００９
【補正方法】変更
【補正の内容】
【０００９】
また請求項８の構成によれば、ビデオテープレコーダに適用して、ビデオデータをデータ伸長して出力する際の時刻管理情報から生成する再生基準の管理情報について、ビデオデータをデータ伸長する際の処理基準のクロックに対して、再生基準の管理情報が比例関係により変化するように、再生基準の管理情報を生成することにより、単純な処理により、再生基準の管理情報とデータ伸長時の処理との対応を判断することができ、この判断を種々の処理に利用することができ、これによっても全体を効率良く構成することができる。これらにより請求項９、請求項１０の構成によれば、全体を効率良く構成することができる記録方法を提供することができる。
【手続補正８】
【補正対象書類名】明細書
【補正対象項目名】００１８
【補正方法】変更
【補正の内容】
【００１８】
図４は、メインセクタの基本構造を示す図表である。なお図４は、２４−２５変調前のデータ量によるものである。ここでメインセクタは、それぞれ８８８ビット（１１１バイト）による１４１個のシンクブロックにより構成され、各シンクブロックには、先頭に、１６ビットのシンク、２４ビットのＩＤが割り当てられ、末尾の８０ビットに、積符号形式による誤り訂正符号の内符号であるＣ１符号が割り当てられるようになされている。またメインセクタは、１４１個のシンクブロックのうち１２３のシンクブロックにおいては、残る７６８ビットに、８ビットのヘッダ（シンクブロックヘッダ）と７６０ビットのメインデータとが割り当てられるのに対し、残る１８個のシンクブロックには、積符号形式による誤り訂正符号の外符号であるＣ２符号が割り当てられるようになされている。


【手続補正９】
【補正対象書類名】明細書
【補正対象項目名】００２２
【補正方法】変更
【補正の内容】
【００２２】
これに対して第２のＩＤ１は、シンクブロックの位置を識別するシンクブロック番号が割り当てられるようになされている。


【手続補正１０】
【補正対象書類名】明細書
【補正対象項目名】００３１
【補正方法】変更
【補正の内容】
【００３１】
図８は、このようにして形成されるメインセクタのデータ構造における平均的な論理データ配分を示す図である。ここでＣ２符号は、連続エラー訂正能力を２トラック以上（＝１２．５％（＝２トラック／１６トラックＥＣＣ (Error Correcting Code)インターリーブ））となるように、１８個のシンクブロックに割り当てられ、これにより１２．７〔％〕に設定される。補助データ（ＡＵＸ）＋ＮＵＬＬデータは、９５バイト×２．２ＳＢ×３００トラック×８ビット＝５０１〔Ｋｂｐｓ〕、ビデオデータは、９５バイト×１１０ＳＢ×３００トラック×８ビット＝２５．０２１〔Ｍｂｐｓ〕、オーディオデータは、９５バイト×１．８ＳＢ×３００トラック×８ビット＝４２１〔Ｋｂｐｓ〕、サーチデータは、９５バイト×９．１ＳＢ×３００トラック×８ビット＝２．０７〔Ｍｂｐｓ〕であり、総計２８．０４４〔Ｍｂｐｓ〕（９５バイト×１２３ＳＢ×３００トラック×８ビット）に設定される。なお以下において、シンクブロックは、適宜、ＳＢにより示す。


【手続補正１１】
【補正対象書類名】明細書
【補正対象項目名】００３６
【補正方法】変更
【補正の内容】
【００３６】
ここで図１０及び図１１は、それぞれ固定長による補助データのパケット構造と可変長による補助データのパケット構造とを示す図表である。固定長によるパケット構造は、メインセクタにも適用されるものの、主にサブコードセクタに適用される。固定長によるパケット構造においては、全体が５バイトにより形成され、先頭１バイトのｂ７及びｂ６ビットが値０に設定され、ｂ５〜ｂ０ビットに、各補助データの内容を示すキーワード番号（keyword Number）が割り当てられ、残り４バイトが補助データに割り当てられる。


【手続補正１２】
【補正対象書類名】明細書
【補正対象項目名】００４３
【補正方法】変更
【補正の内容】
【００４３】
これに対して図１３は、可変長によるパケット構造におけるキーワード番号を示す図表である。可変長によるパケット構造には、値６４〜値１２７が割り当てられる。これらのキーワード番号のうち、値６４〜値６７は、オーディオデータの補助データに割り当てられ、値６４において、続く可変長のデータにオーディオデータの補助データが割り当てられていることを示すようになされている。なお残り値６５〜値６７は、リザーブに割り当てられる。


【手続補正１３】
【補正対象書類名】明細書
【補正対象項目名】００４７
【補正方法】変更
【補正の内容】
【００４７】
また続く１０バイトにオリジナルの記録日時、時間の情報が、続く８バイトに磁気テープへの記録日時、時間の情報が割り当てられ、続く１バイトにコピー世代を示す情報が割り当てられる。また続く２バイトに編集点に係るステータスの情報（編集情報）が各１バイトづつ割り当てられ、続く６バイトにオーディオのモードが割り当てられる。ここでオーディオのモードは、フレームサイズ、サンプリング周波数等である。また続く４バイトはリザーブに割り当てられ、続く１１バイトにパックユニットに係る情報が割り当てられるようになされている。ここでこのパックユニットに係る情報においては、デコード基準の情報であり、フレーム番号、フレーム数、ＰＴＳ（Presentation Time Stamp ）である。


【手続補正１４】
【補正対象書類名】明細書
【補正対象項目名】００５１
【補正方法】変更
【補正の内容】
【００５１】
これに対して続く１６バイトは、ビデオモードの情報が割り当てられ、続く１バイト及び１５バイトにはフレーム単位の付加情報（Extended DV Pack）が割り当てられるようになされている。


【手続補正１５】
【補正対象書類名】明細書
【補正対象項目名】００６２
【補正方法】変更
【補正の内容】
【００６２】
最後の１バイトには、図２７に示す各種のフラグが設定される。ここでこれらのフラグは、サーチポイントを示すＩフラグ、静止画の記録開始位置がメインデータの場合に設定されるＰフラグ、メインデータにＩピクチャ又はＰピクチャが割り当てられていることを示すＰＦフラグ、編集に係るＥＦフラグ等が割り当てられるようになされている。


【手続補正１６】
【補正対象書類名】明細書
【補正対象項目名】００８２
【補正方法】変更
【補正の内容】
【００８２】
この実施の形態ではこのようにして磁気テープに記録してなるサブコードセクタの各補助データを基準にしてビデオデータ及びオーディオデータが再生されて復号される（図３３（Ｄ））。またサーチ用データにおいては（図３３（Ｅ））、対応するビデオデータのＩピクチャーより生成されて、上述したように、対応するＩピクチャー、対応する時刻管理情報ＤＴＳ以降のＥＣＣバンクから記録される。


【手続補正１７】
【補正対象書類名】明細書
【補正対象項目名】００８６
【補正方法】変更
【補正の内容】
【００８６】
ここでこのような開始位置の変化分Ｔ１に変化を与える要素のうち、サーチ用データの粗密による変化量は、上述したように、８倍速用及び２４倍速用の双方で、最大１．６トラックとなり、また対応するオーディオデータのデータ量は最大で０．７トラックとなる。また補助データにおいては、３トラック／３フレームであり、ＮＵＬＬデータにおいては、パックユニットの記録開始位置をトラック単位で繰り下げた場合に、最大で１．０トラックとなる。これらを合計すると６．３トラックとなる。


【手続補正１８】
【補正対象書類名】明細書
【補正対象項目名】００９５
【補正方法】変更
【補正の内容】
【００９５】
すなわちこのビデオテープレコーダにおいて、映像データ圧縮部３は、制御部８によるレート制御により、順次入力されるビデオデータＨＤＶをＭＰＥＧ２（ＭＰ＠Ｈ−１４）に準拠した方式によりデータ圧縮し、各種時間情報等と共に出力する。すなわち映像データ圧縮部３は、ビデオエンコーダ３Ａ、ＤＴＳ／ＰＴＳジェネレータ（ＤＴＳ／ＰＴＳ  ＧＥＮ）３Ｂ、ＥＴＮジェネレータ（ＥＴＮ  ＧＥＮ）３Ｃ、ビデオＦＩＦＯ３Ｄ（図３８）により構成される。このうちビデオエンコーダ３Ａは、ビデオデータＨＤＶをデータ圧縮し、ヘッダ、タイムスタンプ等を付加したＰＥＳ信号によるビデオデータを出力する。ＤＴＳ／ＰＴＳジェネレータ３Ｂは、ビデオデータＨＤＶより時間情報を検出し、この時間情報により時刻管理情報ＤＴＳ、ＰＴＳを出力する。ＥＴＮジェネレータ３Ｃは、このＤＴＳ／ＰＴＳジェネレータ３Ｂによる処理結果より上述した関係式により拡張トラック番号ＥＴＮを計算して出力する。またビデオＦＩＦＯ３Ｄは、ビデオエンコーダ３Ａから出力されるビデオデータを一時保持して出力する。なおこの実施の形態においては、１５ピクチャーにより１ＧＯＰを形成し、さらにこのＧＯＰの先頭Ｉピクチャーより３ピクチャー毎にＰピクチャーを設定する。またこのＧＯＰの他のピクチャーについては、Ｂピクチャーを設定する。


【手続補正１９】
【補正対象書類名】明細書
【補正対象項目名】０１１６
【補正方法】変更
【補正の内容】
【０１１６】
これによりこの実施の形態において、磁気ヘッド１４から誤り訂正符号ＩＤ検出部２４までの処理回路が、磁気テープ２より得られる再生信号を信号処理してパックユニットのデータを再生するパックユニット再生手段を構成するようになされ、デマルチプレクサ２７Ｂが、このパックユニット再生手段より得られるパックユニットのデータからビデオデータを分離するデータ分離手段を構成するようになされている。またビデオＦＩＦＯ２８Ａが、このデータ分離手段より出力されるビデオデータを一時保持して出力する記憶手段を構成し、続くビデオデコーダ２８Ｂがこの記憶手段の出力データをデータ伸長して出力するデータ伸長手段を構成するようになされている。


【手続補正２０】
【補正対象書類名】明細書
【補正対象項目名】０１２１
【補正方法】変更
【補正の内容】
【０１２１】
ビデオテープレコーダ１においては、このようにして磁気テープ２に記録するビデオデータが１５ピクチャーによるＧＯＰによりデータ圧縮され、さらにこの１５ピクチャーによる１つのＧＯＰを構成するビデオデータが３ピクチャー単位で区切られてビデオデータによるパックデータが生成される。ビデオテープレコーダ１では、このビデオデータによるパックデータと、対応するオーディオデータ、補助データとによりパックユニットが形成され、このパックユニットを単位にしてビデオデータ、オーディオデータ、補助データが磁気テープ２に記録される（図３１）。また各パックユニットにおいては、オーディオデータに関する補助データ、オーディオデータ、ビデオデータに関する補助データが先頭側に順次まとめられて順次磁気テープ２に記録される。これによりビデオテープレコーダ１では、パックユニット単位で磁気テープ２に記録されたビデオデータ等を処理することができるようになされている。


【手続補正２１】
【補正対象書類名】明細書
【補正対象項目名】０１２２
【補正方法】変更
【補正の内容】
【０１２２】
ビデオテープレコーダ１においては、このようなパックユニットによる記録とは別に、各インターリーブ単位の先頭トラックの先頭シンクブロックには、補助データのＥＣＣＴＢパケットが割り当てられ、つなぎ記録等の処理の向上が図られるようになされている。さらには一定位置に８倍速、２４倍速のサーチ用データが記録され、これにより高速サーチが可能になる。


【手続補正２２】
【補正対象書類名】明細書
【補正対象項目名】０１３９
【補正方法】変更
【補正の内容】
【０１３９】
（４）第２の実施の形態
この実施の形態においては、上述した第１の実施の形態に係るパックユニットの先頭及び末尾に係る条件で、ＮＵＬＬデータを配置する場合には、続くパックユニットの先頭が記録トラックの先頭となるように、トラックの末尾までＮＵＬＬデータを介挿する。なおこの実施の形態のビデオテープレコーダにおいては、このようにＮＵＬＬデータを余分に配置する点を除いて、第１の実施の形態に係るビデオテープレコーダと同一に構成される。


【手続補正２３】
【補正対象書類名】明細書
【補正対象項目名】０１４３
【補正方法】変更
【補正の内容】
【０１４３】
（５）他の実施の形態
なお上述の実施の形態においては、ＮＵＬＬデータの記録によりメインストリームのデータを遅延させる場合について述べたが、本発明はこれに限らず、例えば同一のメインデータの繰り返しの記録によりメインストリームのデータを遅延させる場合等、種々の遅延手法に広く適用することができる。